(57)【要約】【課題】  本棚付き机において、必要に応じて本棚の一部を取り外すか、または本棚の一部を他の部分と組み合わせることにより、机の上面における本棚の占有面積を小さくして、上面を広く使うことができるようにした本棚付き机を提供する。【解決手段】  本棚付き机(A1)は、机本体(1)と机本体(1)の天板(10)上面に着脱可能な本棚(3)とを備えている。本棚(3)は、横方向に分割されている複数の本棚構成体(30,31)で構成されている。本棚構成体(30,31)は、上下方向に載置または接続できるよう構成されている。また、本棚構成体(31)の背面板(35a)は取り外し可能で棚板として使用できる。【選択図】        図２
2005102876.tif 000002
【特許請求の範囲】
【請求項１】
机本体(1)と、
机本体(1)の天板(10)上面に着脱可能な本棚(3)と、
を備えており、
本棚(3)は、横方向に分割されている複数の本棚構成体(30,31)で構成されていることを特徴とする、
本棚付き机。
【請求項２】
本棚構成体(30,31)は、上下方向に載置または接続できるよう構成されていることを特徴とする、
請求項１記載の本棚付き机。
【請求項３】
机本体(1)と、
机本体(1)の天板(10)上面に着脱可能な本棚(4)と、
を備えており、
本棚(4)は、横方向に伸縮できるよう構成されていることを特徴とする、
本棚付き机。
【請求項４】
本棚(3)の背面板(35a)が取り外し可能で棚板として使用できるよう構成されていることを特徴とする、
請求項１、２または３記載の本棚付き机。
【発明の詳細な説明】
【技術分野】
【０００１】
本発明は、本棚付き机に関するものである。更に詳しくは、本棚付き机において、必要に応じて本棚の一部を取り外すか、または本棚の一部を他の部分と組み合わせることにより、机の上面における本棚の占有面積を小さくして、上面を広く使うことができるものに関する。
【背景技術】
【０００２】
一般に学習机といわれる本棚付き机は、机本体と、机の上面に設けられる本棚を組み合わせたものである。このような本棚付き机は、本棚が固定式で取り外せないものもあったが、近年においては、必要に応じて机の上面を広く使用できるように、本棚を着脱できるようにしたものが主流となっている（特許文献１参照）。
特許文献１に記載された本棚付き机は、本棚が上下二段になっており、上下の本棚が分解（分離）できるようになっている。また、本棚全体を机の天板から取り外すこともできる。
【特許文献１】特開２００３−４７５３０
【発明の開示】
【発明が解決しようとする課題】
【０００３】
しかしながら、上記特許文献１記載の本棚付き机には次のような課題があった。
例えば一時的に机の上面を広く使いたい時には、本棚全体を天板から取り外せばよいので特に問題はない。ところが、本棚全部を取り外して本棚が机と離れたところに移動すると、本が必要なときには取りに行かなければならないため、常時本棚を取り外しておくのでは使い勝手が悪くなる。
【０００４】
この問題の解決のためには、本棚の一部を机の上面に残して使用することが考えられるが、特許文献１記載の本棚付き机は、本棚の各段がそれぞれ机の天板の幅とほぼ同じ長さを有している。すなわち、本棚の一部を残すようにしても、机の上面における占有面積に変わりはなく、上面を広く使うことはできない。
【０００５】
（本発明の目的）
本発明は、本棚付き机において、必要に応じて本棚の一部を取り外すか、または本棚の一部を他の部分と組み合わせることにより、机の上面における本棚の占有面積を小さくして、上面を広く使うことができるようにした本棚付き机を提供することを目的とする。
【課題を解決するための手段】
【０００６】
上記課題を解決するために講じた本発明の手段は次のとおりである。
第１の発明にあっては、
机本体と、
机本体の天板上面に着脱可能な本棚と、
を備えており、
本棚は、横方向に分割されている複数の本棚構成体で構成されていることを特徴とする、
本棚付き机である。
【０００７】
第２の発明にあっては、
本棚構成体は、上下方向に載置または接続できるよう構成されていることを特徴とする、
第１の発明に係る本棚付き机である。
【０００８】
第３の発明にあっては、
机本体と、
机本体の天板上面に着脱可能な本棚と、
を備えており、
本棚は、横方向に伸縮できるよう構成されていることを特徴とする、
本棚付き机である。
【０００９】
第４の発明にあっては、
本棚の背面板が取り外し可能で棚板として使用できるよう構成されていることを特徴とする、
第１、第２または第３の発明に係る本棚付き机である。
【００１０】
本棚を机本体の天板上面に着脱する手段は特に限定しない。例えば単に載置して重量を利用して本質的に固定する構造、金具等の固着具を使用して固着する構造、あるいは凹部と凸部等の組み合わせによる係合構造としたもの等である。
本棚構成体の数は特に限定せず、本棚の大きさやデザインに合わせて適宜設定可能である。また、本棚構成体は更に上下方向に分割できる構造とすることもできる。
【００１１】
本棚を横方向に伸縮する手段は特に限定しない。例えば本棚を複数の本棚構成体で構成し、そのうちの一つまたは複数の本棚構成体が天板上面の幅方向に移動できるようにした構造、あるいは更に移動する本棚構成体が他の本棚構成体に収容される構造または他の本棚構成体と組み合わさって一体となる構造等である。
【００１２】
本棚の背面板を棚板として使用できるようにする手段は特に限定しない。例えば本棚構成体の側板内面に溝を設けて背面板を差し込むようにしたもの、あるいは側面板の上面に載置、係合かたは固定するようにしたもの等である。
なお、本棚その他、本棚付き机を構成する各部の材質は特に限定するものではなく、例えば木、合成樹脂、金属、石あるいはそれらを複合したもの等である。
【００１３】
（作用）
本発明に係る本棚付き机は、本棚が横方向に分割されている複数の本棚構成体で構成されているので、使用しない本棚構成体を天板上面から取り外すと、その本棚構成体が占有していた天板上面の一部を空けることができる。
【００１４】
本棚構成体が上下方向に載置または接続（連結または固定も含む）できるよう構成されているものは、天板上面の一部を空けるために天板上面から取り外した本棚構成体を、必ずしも机以外の箇所に移動する必要はなく、必要に応じて全部の本棚構成体を机の天板上で組み合わせておくことができる。
【００１５】
本発明に係る他の本棚付き机は、本棚が横方向に伸縮できるよう構成されているので、机の天板上面を広く使いたいときには、空けたい箇所を占有している部分を動かして、本棚全体の幅を狭めるようにすれば、本棚が占有していた天板上面の一部を空けることができる。
【００１６】
本棚の背面板が取り外し可能で棚板として使用できるよう構成されているものは、棚を増やしたいときには、背面板を取り外し、棚板として取り付けることができ、棚板を増減することができる。
【発明の効果】
【００１７】
（ａ）本発明に係る本棚付き机は、本棚を構成する本棚構成体を必要に応じて取り外すか、または他の本棚構成体と組み合わせることにより、机の天板上面における本棚の占有面積を小さくして、上面を広く使うことができる。
より詳しくは、本発明に係る本棚付き机は、本棚が横方向に分割されている複数の本棚構成体で構成されているので、使用しない本棚構成体を天板上面から取り外すと、その本棚構成体が占有していた天板上面の一部を空けることができる。これにより、例えばパーソナルコンピュータのディスプレイ等、他のものが置けるようになる。
【００１８】
（ｂ）本棚構成体が上下方向に載置または接続できるよう構成されているものは、天板上面の一部を空けるために天板上面から取り外した本棚構成体を、必ずしも机以外の箇所に移動する必要はない。これにより、必要に応じて全部の本棚構成体を机の天板上で組み合わせれば、本の収蔵量を本棚構成体の調整前と同じ量に確保することが可能になる。
【００１９】
（ｃ）本発明に係る他の本棚付き机は、本棚が横方向に伸縮できるよう構成されているので、机の天板上面を広く使いたいときには、空けたい箇所を占有している部分を動かして本棚全体の幅を狭めればよい。これにより、本棚が占有していた天板上面の一部を空けることができ、他のものが置けるようになる。
【００２０】
（ｄ）本棚の背面板が取り外し可能で棚板として使用できるよう構成されているものは、棚を増やしたいときには、背面板を取り外し、棚板として取り付けることができる。このように棚板を増減できるようにしたことにより、収蔵する本の大きさや数の変化に対し、より柔軟に対応できる。
【発明を実施するための最良の形態】
【００２１】
本発明を図１ないし図９に示した実施例１、２に基づき詳細に説明する。
【実施例１】
【００２２】
図１は本発明に係る本棚付き机の第１の実施例を示す斜視図である。
【００２３】
本棚付き机Ａ１は木製であり、机本体１と、机本体１と別体に形成され移動可能な引き出しワゴン２（袖机ともいう）と、机本体１に載置されている本棚３により構成されている。
机本体１は、下面側に引き出し１２、１３を有する長方形状の天板１０を有している。天板１０の両側には脚側板１１、１１が下方へ向けて垂直に設けてある。また、天板１０の背側には、背面板（図では見えない）が天板１０と両脚側板１１、１１をつなぐように垂直に設けてある。
【００２４】
引き出しワゴン２は、外箱２０の内部に三段の引き出し２１、２２、２３を設けた構造であり、外箱２０の底部の四隅にはキャスタ２４が設けてある。引き出しワゴン２は、床面を移動可能であり、使用の都度、使いやすい位置に置くことができる。なお、引き出しワゴン２の上面形状は、本棚構成体３０または３１を載置または固定できるよう形成されている。
【００２５】
本棚３は、二台の本棚構成体３０、３１により構成されている。本棚構成体３０、３１は固定金具（図示省略）により天板１０に固定されている。
図１において右側に配置された一方の本棚構成体３０は、下面側に引き出し３２０、３２１が設けられ、更にその下にはスイッチ盤３２２が設けられた底板３２、底板３２の両側に設けてある外側板３３、両外側板３３の間に設けてある二枚の仕切板３４及び背面板３５で構成されている。
【００２６】
両仕切板３４は両外側板３３と背面板３５より低く形成されている。両外側板３３と背面板３５の下部の中央部分には、上方へ凹むように湾曲して係合凹部３３０、３５０がそれぞれ設けてある（背面板３５の係合凹部３５０は、後述する図３に図示）。
また、両外側板３３の係合凹部３３０の上方近傍には、本棚構成体３０、３１を上下に重ねて連結する際に使用するネジ孔３３１が設けてある。
【００２７】
両外側板３３と背面板３５の上部には、上方へ膨らむよう湾曲して係合凸部３３２、３５２がそれぞれ設けてある。両外側板３３の係合凸部３３２の下方近傍には、本棚構成体３０、３１を上下に重ねて連結する際に使用する横長形状の指掛孔３３３が設けてある。
【００２８】
図１において左側に配置された他方の本棚構成体３１は、底板３２ａ、底板３２ａの両側に設けてある外側板３３ａ、両外側板３３ａの中間に設けてある仕切板３４ａ、両外側板３３ａと仕切板３４ａ間に設けてある二枚の棚板３６及び二枚の背面板３５ａ、３５ｂで構成されている。
【００２９】
仕切板３４ａは両外側板３３ａと上部側の背面板３５ａより低く形成されている。両外側板３３ａと下部側の背面板３５ｂの下部の中央部分には、上方へ凹むように湾曲して係合凹部３３０ａ、３５０ａがそれぞれ設けてある（背面板３５ａの係合凹部３５０ａは、後述する図３に図示）。
また、両外側板３３ａの係合凹部３３０ａの上方近傍には、本棚構成体３０、３１を上下に重ねて連結する際に使用するネジ孔３３１ａ（図ではネジ３７０と同じ箇所に括弧付き符号で表わす）が設けてある。
【００３０】
両外側板３３ａと背面板３５ａの上部には、上方へ膨らむよう湾曲して係合凸部３３２ａ、３５２ａがそれぞれ設けてある。両外側板３３ａの係合凸部３３２ａの下方近傍には、本棚構成体３０、３１を上下に重ねて連結する際に使用する横長形状の指掛孔３３３ａが設けてある。
【００３１】
両外側板３３ａの後端部の内面側には、係合溝３３４（図６参照）が上端部から棚板３６の高さまで垂直方向に設けてある。両係合溝３３４間には、上記上部側の背面板３５ａが両端部のほぞ３５１（図６参照）を係合させて、上下にスライドさせることで着脱できるように設けてある。また、両外側板３３ａの内面側には、指掛孔３３３ａの下方近傍には、係合溝３３５が水平方向の全幅にわたり設けてある。両係合溝３３５間には、取り外した上記背面板３５ａを前後にスライドさせることで着脱できる。
【００３２】
なお、本棚構成体３０、３１は、それぞれの両外側板３３、３３ａと背面板３５、３５ｂの下部の係合凹部３３０、３５０及び係合凹部３３０ａ、３５０ａと、両外側板３３、３３ａと背面板３５、３５ａの上部の係合凸部３３２、３５２及び係合凸部３３２ａ、３５２ａとが、それぞれ相互に合致するよう形成されている（図３参照）。
【００３３】
（作用）
図２は図１に示す本棚付き机の本棚を机上面の片側に重ねて取り付けた状態を示す斜視図、
図３は図２に示す本棚を背面からみた斜視図、
図４は図１に示す本棚付き机の本棚を床に重ねて取り付けた状態を示す斜視図、
図５は引き出しワゴンの上面に本棚を重ねて取り付けた状態を示す斜視図、
図６は図１に示す本棚付き机の一方の本棚に設けてある背面板を外して棚板として使用する場合の説明図である。
図１ないし図６を参照して本棚付き机Ａ１の作用を説明する。
【００３４】
本実施例１に係る本棚付き机Ａ１は、当初は本棚３を構成する本棚構成体３０、３１を机本体１の天板１０の後部側に幅方向に並べて固定して使用する（図１参照）。
例えばパーソナルコンピュータのディスプレイを置くなど、天板１０を広く使う必要が生じたときは、一方の本棚構成体３１を天板１０から取り外し、他方の本棚構成体３０の上に載置する。このとき、上部側の本棚構成体３１の係合凹部３３０ａ、３５０ａと、下部側の本棚構成体３０の係合凸部３３２、３５２とを合わせるようにする（図２、図３参照）。
【００３５】
そして、金具３７によって外側板３３、３３ａ同士を固定し、本棚構成体３０、３１を重ねた状態で一体化する。金具３７は下部が曲げられており、上部には通孔（符号省略）が設けられている。外側板３３、３３ａは、金具３７の下部の折曲部（符号省略）を指掛孔３３３ａに差し込み、通孔にネジ３７０を通してネジ孔３３１ａに螺着し締め付けることにより固定される。
【００３６】
このように、本棚３が机本体１の天板１０上面の幅方向に分割されている複数の本棚構成体３０、３１で構成されているので、一方の本棚構成体３１を天板１０上面から取り外すと、その本棚構成体３１が占有していた天板１０上面の一部を空けることができる（図２参照）。この空いた箇所にディスプレイを置くことができると共に、本棚３は全体の本の収蔵量も当初と変わらず、かつ天板１０上面にあるので、使い勝手は良好である。
【００３７】
また、本棚構成体３０、３１を重ねて一体化したものを机本体１の横の床面に置くこともできる（図４参照）。この場合は、図２に示した場合に比べて、机本体１の天板１０上面を更に広く使うことができる。
更に、一方の本棚構成体３０は天板１０上面に固定しておき、他方の本棚構成体３１を机本体１の内側から外へ移動させた引き出しワゴン２の上部に取り付けることもできる。この場合は、まず二本の脚部材２００で高さ調整台板２０１を水平に固定し、その上に本棚構成体３１を固定する（図５参照）。
【００３８】
なお、本の収蔵量を増やしたい場合等、棚板を増やすときには、本棚構成体３１の背面板３５ａを係合溝３３４から上方へスライドさせて取り外し、両係合溝３３５間に差し込んで棚板とする（図６参照）。なお、仕切板３４ａ上端部は差し込んだ背面板３５ａの下側に位置するようになっている。
【実施例２】
【００３９】
図７は本発明に係る本棚付き机の第２の実施例を示す斜視図、
図８は図７に示す本棚付き机の一方の本棚をスライドさせて本棚全体の幅を狭めている状態を示す斜視図、
図９は図７に示す本棚付き机の本棚部分を斜め後方からみた斜視説明図である。
なお、図７、図８、図９において、本棚付き机Ａ１と同一または同等箇所については同一の符号を付して示し、また構造については本棚付き机Ａ１と重複する説明は省略し、主に相違する部分について説明する。
【００４０】
本棚付き机Ａ２の本棚４は、二台の本棚構成体４０、４１により構成されており、机本体１の天板１０上面に載置されて固定具（図示省略）により固定されている。
図７において右側に配置された一方の本棚構成体４０は、棚板４２、棚板４２の両側に設けてある外側板４３、４４、両外側板４３、４４の間に設けてある仕切板４５及び背面板４６で構成されている。
【００４１】
なお、図７において左側の外側板４３は、下端部が後述する本棚構成体４１の棚板４７の上面高さと同じ高さにあり、外側板４４及び背面板４６より短く形成されている。また、外側板４３の後端部（背面板４６より前方側かつ棚板４２の下側）には上下方向にスリット４３０（図９参照）が設けてある。このスリット４３０は後述する本棚構成体４１の背面板４９を挿通させるためのものである。
【００４２】
本棚構成体４１は、下面側に引き出し４７０、４７１が設けられ、更にその下にはスイッチ盤４７２が設けられた棚板４７、棚板４７の両側に設けてある外側板４８及び背面板４９で構成されている。
なお、本棚構成体４１は、背面板４９を本棚構成体４０の外側板４３に設けてある上記スリットに挿通して本棚構成体４０とスライド可能に組み合わせられている。
【００４３】
（作用）
本実施例２に係る本棚付き机Ａ２は、本棚４を構成する本棚構成体４１が、同じく本棚４を構成する本棚構成体４０に対して机本体の天板上面の幅方向にスライドできるよう構成されており、本棚４全体としては同方向に伸縮できる。
例えば、上記実施例１の場合と同様にディスプレイを置くために、机本体１の天板１０上面を広く使いたいときには、空けたい箇所を占有している本棚構成体４１の固定具による固定を解除し、本棚４全体が縮む方向へ動かして幅を狭めるようにすれば、本棚４が占有していた天板１０上面の一部を空けることができる。この空いた箇所にディスプレイを置くことができる。なお、本棚４は全体の幅が狭くなった分、本の収蔵量が少なくなるが、天板１０上面にある本棚４の使い勝手は良好である。
【００４４】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００４５】
【図１】本発明に係る本棚付き机の第１の実施例を示す斜視図。
【図２】図１に示す本棚付き机の本棚を机上面の片側に重ねて取り付けた状態を示す斜視図。
【図３】図２に示す本棚を背面からみた斜視図。
【図４】図１に示す本棚付き机の本棚を床に重ねて取り付けた状態を示す斜視図。
【図５】引き出しワゴンの上面に本棚を重ねて取り付けた状態を示す斜視図。
【図６】図１に示す本棚付き机の一方の本棚に設けてある背面板を外して棚板として使用する場合の説明図。
【図７】本発明に係る本棚付き机の第２の実施例を示す斜視図。
【図８】図７に示す本棚付き机の一方の本棚をスライドさせて本棚全体の幅を狭めている状態を示す斜視図。
【図９】図７に示す本棚付き机の本棚の組み合わせ構造を示す斜め後方からみた斜視説明図。
【符号の説明】
【００４６】
Ａ１  本棚付き机
１  机本体
１０  天板
１１  脚側板
１２、１３  引き出し
２  引き出しワゴン
２０  外箱
２１、２２、２３  引き出し
２４  キャスタ
２５  高さ調整台
３  本棚
３０  本棚構成体
３２  底板
３２０、３２１  引き出し
３２２  スイッチ盤
３３  外側板
３３０  係合凹部
３３１  ネジ孔
３３２  係合凸部
３３３  指掛孔
３４  仕切板
３５  背面板
３５０  係合凹部
３５１  ほぞ
３５２  係合凸部
３１  本棚構成体
３２ａ  底板
３３ａ  外側板
３３０ａ  係合凹部
３３１ａ  ネジ孔
３３２ａ  係合凸部
３３３ａ  指掛孔
３３４  係合溝
３３５  係合溝
３４ａ  仕切板
３５ａ、３５ｂ  背面板
３５０ａ  係合凹部
３５２ａ  係合凸部
３６  棚板
３７  金具
３７０  ネジ
Ａ２  本棚付き机
４  本棚
４０  本棚構成体
４１  本棚構成体
４２  棚板
４３  外側板
４４  外側板
４５  仕切板
４６  背面板
４７  棚板
４７０、４７１  引き出し
４７２  スイッチ盤
４８  外側板
４９  背面板
【図１】
2005102876.tif 000003
【図２】
2005102876.tif 000004
【図３】
2005102876.tif 000005
【図４】
2005102876.tif 000006
【図５】
2005102876.tif 000007
【図６】
2005102876.tif 000008
【図７】
2005102876.tif 000009
【図８】
2005102876.tif 000010
【図９】
2005102876.tif 000011